(57)【要約】【課題】洗濯兼脱水槽内に液体洗剤を投入する洗剤自動投入装置を備えた洗濯機において、液体洗剤の種類によって、所定の洗浄性能を得るための洗剤量または液体洗剤の粘度をが変わっても、液体洗剤に応じた洗剤量を投入できるようにし、所定の洗浄性能を確保する。【解決手段】洗剤タンク１６に液体洗剤１５を溜めておき、この洗剤タンク内の液体洗剤を、制御手段により制御するエアポンプ１８により洗濯兼脱水槽１内へ投入する。制御手段は、液体洗剤１５の種類に応じて洗濯兼脱水槽１内へ投入する洗剤量を制御するよう構成する。【選択図】  図１
2004313297.tif 000002
【特許請求の範囲】
【請求項１】
液体洗剤を溜めておく洗剤タンクと、前記洗剤タンク内の液体洗剤を洗濯兼脱水槽内へ投入するポンプと、前記ポンプの動作を制御する制御手段とを備え、前記制御手段は、前記液体洗剤の種類に応じて前記洗濯兼脱水槽内へ投入する洗剤量を制御するよう構成した洗濯機。
【請求項２】
制御手段は、液体洗剤の種類に応じてポンプの駆動時間を制御するよう構成した請求項１記載の洗濯機。
【請求項３】
入力操作する入力設定手段を備え、制御手段は、前記入力設定手段により入力した液体洗剤の種類に応じて、洗濯兼脱水槽内へ投入する洗剤量を制御するよう構成した請求項１または２記載の洗濯機。
【請求項４】
制御手段は、同一液体洗剤で洗濯兼脱水槽内へ投入する洗剤量を加減できるよう構成した請求項１または２記載の洗濯機。
【請求項５】
入力操作する入力設定手段を備え、制御手段は、前記入力設定手段の入力に基づいて、洗濯兼脱水槽内へ投入する洗剤量を加減するよう構成した請求項４記載の洗濯機。
【請求項６】
表示動作する表示手段を備え、前記表示手段は、液体洗剤の種類、洗濯兼脱水槽内へ投入する洗剤量の加減量の少なくともいずれか一方を表示するようにした請求項１〜５のいずれか１項に記載の洗濯機。
【請求項７】
電源をオフしても記憶内容を保持する不揮発性メモリを備え、前記不揮発性メモリは、入力設定手段により設定した液体洗剤の種類、洗濯兼脱水槽内へ投入する洗剤量の加減量を記憶するようにした請求項１〜５のいずれか１項に記載の洗濯機。
【発明の詳細な説明】
【０００１】
【発明の属する技術分野】
本発明は、洗濯兼脱水槽内に液体洗剤を投入する洗剤自動投入装置を備えた洗濯機に関するものである。
【０００２】
【従来の技術】
従来、この種の洗濯機は、図６に示すように構成していた。以下、その構成について説明する。
【０００３】
図６に示すように、洗濯兼脱水槽１は、内底面に撹拌翼２を回転自在に配設し、この洗濯兼脱水槽１の外側に水受け槽３を設けている。水受け槽３の底面に洗濯兼脱水槽１と撹拌翼２を駆動するモータ４を取り付け、駆動部の切り換えを行うクラッチ装置５を介して洗濯兼脱水槽１または撹拌翼２を駆動するように構成している。また、水受け槽３は、外郭６にサスペンション７を介して防振支持している。洗濯兼脱水槽１の上部には、液体を内封した流体バランサー８を固定し、水受け槽３の上面は、水受け槽カバー９によって覆われている。
【０００４】
水受け槽３を防振支持している外郭６の上部は、制御装置１０、給水弁１１、給水経路１２等を収納した外郭カバー１３によって覆われている。外郭カバー１３の略中央には、衣類の出し入れを行う穴部を有し、この穴部には、蓋体１４を開閉自在に配設している。
【０００５】
また、外郭カバー１３内には液体洗剤１５を溜めた洗剤タンク１６を設け、この洗剤タンク１６の上部にはエアホース１７を介して洗剤タンク１６内に空気を送り込むエアポンプ１８を接続している。また、洗剤タンク１６の下部には給水経路１２近傍まで洗剤を導く洗剤ホース１９を接続している。なお、液体洗剤１５は、洗剤タンク蓋１６ａを開けて補充可能である。
【０００６】
制御装置１０は、エアポンプ１８の動作を制御して洗剤タンク１６内の液体洗剤１５を洗濯兼脱水槽１内に投入するとともに、モータ４、クラッチ装置５、給水弁１１、排水弁２０などの動作を制御し、洗濯、すすぎ、脱水の一連の行程を逐次制御するよう構成している（例えば、特許文献１参照）。
【０００７】
上記構成において動作を説明する。洗濯行程では、洗濯兼脱水槽１内に投入された衣類等の洗濯物の量に適した水量を給水弁１１から給水経路１２を通して水受け槽３に給水する。また、衣類投入時または給水時とほぼ同時にエアポンプ１８に通電してエアホース１７を介して洗剤タンク１６の上部へ空気を送る。これにより、洗剤タンク１６の内部の圧力が高くなり、洗剤タンク１６内の液体洗剤１５は洗剤ホース１９を通って液体洗剤排出口１９ａから給水経路１２近傍へ押し出され、給水弁１１から流入する水とともに洗濯兼脱水槽１内に投入される。
【０００８】
液体洗剤１５が投入され、所定の水位まで給水されると、撹拌翼２による撹拌を行い、衣類の汚れを除去する行程へと進む。このとき、洗濯兼脱水槽１に投入する液体洗剤１５は、洗濯する衣類の量、または給水する水量に合わせて自動的に適量が投入されるようエアポンプ１８に通電する時間の長さを変えることによって調節する。
【０００９】
【特許文献１】
特開２００２−３２０７９３号公報
【００１０】
【発明が解決しようとする課題】
一般に、液体洗剤１５は、その種類によって、洗剤が有する洗浄力が異なるため、所定の洗浄性能を得るために所定水量に対する洗剤量は異なり、また、それぞれの液体洗剤は固有の粘度を有しており、温度変化による粘度の変化も液体洗剤の種類によって異なる。
【００１１】
上述のような従来の構成では、洗濯兼脱水槽１内に投入する液体洗剤１５の種類が変わることにより洗剤が有する洗浄力が変わっても、所定水量に対する洗剤投入量は同じであり、所定の洗浄性能を確保できない場合があるという問題を有していた。
【００１２】
さらに、液体洗剤１５の粘性が起因して、エアポンプ１８を所定時間駆動したときの洗剤投入量は、液体洗剤１５の粘度が低いと多くなり、粘度が高いと少なくなるため、液体洗剤１５の粘度が変わると、所定の洗浄性能を確保できないという問題を有していた。
【００１３】
本発明は上記従来の課題を解決するもので、液体洗剤の種類によって、所定の洗浄性能を得るための洗剤量または液体洗剤の粘度をが変わっても、液体洗剤に応じた洗剤量を投入できるようにし、所定の洗浄性能を確保することを目的としている。
【００１４】
【課題を解決するための手段】
本発明は上記目的を達成するために、洗剤タンクに液体洗剤を溜めておき、この洗剤タンク内の液体洗剤を、制御手段により制御するポンプにより洗濯兼脱水槽内へ投入するよう構成し、制御手段は、液体洗剤の種類に応じて洗濯兼脱水槽内へ投入する洗剤量を制御するよう構成したものである。
【００１５】
これにより、液体洗剤の種類によって、所定の洗浄性能を得るための洗剤量または液体洗剤の粘度が変わっても、液体洗剤に応じた洗剤量を投入することができ、所定の洗浄性能を確保することができる。
【００１６】
【発明の実施の形態】
本発明の請求項１に記載の発明は、液体洗剤を溜めておく洗剤タンクと、前記洗剤タンク内の液体洗剤を洗濯兼脱水槽内へ投入するポンプと、前記ポンプの動作を制御する制御手段とを備え、前記制御手段は、前記液体洗剤の種類に応じて前記洗濯兼脱水槽内へ投入する洗剤量を制御するよう構成したものであり、液体洗剤の種類によって、所定の洗浄性能を得るための洗剤量が変わったり、液体洗剤の粘度が変わっても、液体洗剤の種類に応じて所定の洗浄性能を確保するための洗剤量を投入することができ、所定の洗浄性能を確保することができる。
【００１７】
請求項２に記載の発明は、上記請求項１に記載の発明において、制御手段は、液体洗剤の種類に応じてポンプの駆動時間を制御するよう構成したものであり、液体洗剤の種類によって、所定の洗浄性能を得るための洗剤量が変わったり、液体洗剤の粘度が変わっても、液体洗剤の種類に応じて洗剤を投入する時間を変えることで、所定の洗浄性能を確保するための洗剤量を投入することができ、所定の洗浄性能を確保することができる。
【００１８】
請求項３に記載の発明は、上記請求項１または２に記載の発明において、入力操作する入力設定手段を備え、制御手段は、前記入力設定手段により入力した液体洗剤の種類に応じて、洗濯兼脱水槽内へ投入する洗剤量を制御するよう構成したものであり、入力設定手段により、所定の洗浄性能を得るための洗剤量、または液体洗剤の粘度などが異なる液体洗剤の種類を入力することにより、液体洗剤の種類に応じて所定の洗浄性能を確保するための洗剤量を投入することができ、所定の洗浄性能を確保することができる。
【００１９】
請求項４に記載の発明は、上記請求項１または２に記載の発明において、制御手段は、同一液体洗剤で洗濯兼脱水槽内へ投入する洗剤量を加減できるよう構成したものであり、洗濯物の汚れが多いときには液体洗剤を多く投入して汚れを落とすことができ、洗濯物の汚れが少ないときには液体洗剤を少なく投入して液体洗剤の無駄をなくすことができる。
【００２０】
請求項５に記載の発明は、上記請求項４に記載の発明において、入力操作する入力設定手段を備え、制御手段は、前記入力設定手段の入力に基づいて、洗濯兼脱水槽内へ投入する洗剤量を加減するよう構成したものであり、洗濯物の汚れが多いときには、入力設定手段からの入力により液体洗剤を多く投入して汚れを落とすことができ、洗濯物の汚れが少ないときには、入力設定手段からの入力により液体洗剤を少なく投入して液体洗剤の無駄をなくすことができる。
【００２１】
請求項６に記載の発明は、上記請求項１〜５に記載の発明において、表示動作する表示手段を備え、前記表示手段は、液体洗剤の種類、洗濯兼脱水槽内へ投入する洗剤量の加減量の少なくともいずれか一方を表示するようにしたものであり、洗濯兼脱水槽に投入する液体洗剤の種類、投入する洗剤量の多少などを視認することができ、使い勝手を向上することができる。
【００２２】
請求項７に記載の発明は、上記請求項１〜５に記載の発明において、電源をオフしても記憶内容を保持する不揮発性メモリを備え、前記不揮発性メモリは、入力設定手段により設定した液体洗剤の種類、洗濯兼脱水槽内へ投入する洗剤量の加減量を記憶するようにしたものであり、入力設定手段により設定した液体洗剤の種類、洗濯兼脱水槽内へ投入する洗剤量加減量などを不揮発性メモリに記憶することにより、次回に洗濯するときは同じ設定で液体洗剤を投入することができ、使い勝手を向上することができる。
【００２３】
【実施例】
以下、本発明の一実施例について、図面を参照しながら説明する。なお、従来例と同じ構成のものは同一符号を付して説明を省略する。
【００２４】
図１および図２に示すように、制御装置２１は、マイクロコンピュータで構成した制御手段２２を有し、制御手段２２は、パワースイッチング手段２３を介して、エアポンプ（ポンプ）１８の動作を制御して洗剤タンク１６内の液体洗剤１５を洗濯兼脱水槽１内に投入するとともに、モータ４、クラッチ装置５、給水弁１１、排水弁２０などの動作を制御し、洗濯、すすぎ、脱水の一連の行程を逐次制御するよう構成している。入力設定手段２４は使用者が入力操作するもので、制御手段２２に指示を与え、表示手段２５は、制御手段２２の出力により表示動作を行う。
【００２５】
水位検知手段２６は洗濯兼脱水槽１の水位を検知するものである。回転数検知手段２７は、モータ４の回転数に応じたパルスを出力するもので、この回転数検知手段２７の出力を制御手段２２に入力し、制御手段２２は洗濯兼脱水槽１内の洗濯物の量を検知する機能を有している。
【００２６】
記憶手段２８は、制御手段２２により一連の行程を逐次制御するのに必要なデータを記憶している。不揮発性メモリ２９は、電源をオフしても記憶内容を保持するもので、この不揮発性メモリ２９は、入力設定手段２４により設定した液体洗剤の種類、洗濯兼脱水槽内へ投入する洗剤量加減量を記憶するようにしている。なお、３０は商用電源である。
【００２７】
入力設定手段２４は、図３に示すように、水位設定スイッチ２４ａ、洗剤投入設定スイッチ２４ｂ、洗い時間設定スイッチ２４ｃ、すすぎ回数設定スイッチ２４ｄ、脱水時間設定スイッチ２４ｅ、コース設定スイッチ２４ｆ、スタート／一時停止スイッチ２４ｇ、電源入スイッチ２４ｈ、電源切スイッチ２４ｉなどで構成している。
【００２８】
表示手段２５は、発光ダイオードで構成し、水位表示部２５ａ、洗剤投入表示部２５ｂ、洗い時間表示部２５ｃ、すすぎ回数表示部２５ｄ、脱水時間表示部２５ｅ、コース表示部２５ｆなどで構成している。
【００２９】
洗剤投入設定スイッチ２４ｂは、洗剤ケース１６に溜めておき、洗濯兼脱水槽１に投入する液体洗剤１５の種類として、「洗剤Ａ」、「洗剤Ｂ」の２種類を設定できるとともに、各洗剤の投入量を「多め」に増量するよう設定できるようにし、この設定した状態を洗剤投入表示部２５ｂに表示するようにし、さらに、不揮発性メモリ２９に記憶するようにしている。
【００３０】
ここで、「洗剤Ａ」は、例えば水３０リットルに対して、液体洗剤を１５ミリリットル投入することで所定の洗浄性能を得ることができ、「洗剤Ｂ」は、例えば水３０リットルに対して、液体洗剤を２０ミリリットル投入することで所定の洗浄性能を得ることができるものである。また、「多め」に設定したときは、それぞれの液体洗剤を「多め」に設定しないときの１．２５倍の洗剤量に増量して投入できるようにしている。
【００３１】
つぎに、洗剤投入の初期設定では、「洗剤Ａ」を投入するよう設定されており、電源入スイッチ２４ｈにより電源を投入したとき、図４（ａ）に示すように、洗剤投入表示部２５ｂのランプｂ１だけが点灯した状態になっている。この状態で、洗剤投入設定スイッチ２４ｂを押すと、「洗剤Ｂ」を投入するよう設定され、図４（ｂ）に示すように、洗剤投入表示部２５ｂのランプｂ２だけが点灯する。この状態で、さらに洗剤投入設定スイッチ２４ｂを押すと、「洗剤Ａ」を「多め」に投入するよう設定され、図４（ｃ）に示すように、洗剤投入表示部２５ｂのランプｂ１、ｂ３が点灯する。
【００３２】
この状態で、さらに洗剤投入設定スイッチ２４ｂを押すと、「洗剤Ｂ」を「多め」に投入するよう設定され、図４（ｄ）に示すように、洗剤投入表示部２５ｂのランプｂ２、ｂ３が点灯する。この状態で、さらに洗剤投入設定スイッチ２４ｂを押すと、洗剤自動投入を行わないように設定され、図４（ｅ）に示すように、洗剤投入表示部２５ｂのすべてのランプが消灯する。この状態で、洗剤投入設定スイッチ２４ｂを押すと、図４（ａ）に示す状態に戻る。
【００３３】
このようにして洗剤投入設定スイッチ２４ｂにより、液体洗剤１５の種類、洗濯兼脱水槽１内へ投入する洗剤量の増量などを設定し、スタート／一時停止スイッチ２４ｇをオンすると、不揮発性メモリ２９に設定した内容を記憶するようにしている。
【００３４】
上記構成において動作を説明する。「洗剤Ａ」を使用して洗濯するときは、液体洗剤１５として洗剤ケース１６内に「洗剤Ａ」を入れ、洗濯兼脱水槽１内に洗濯物を投入し、電源入スイッチ２４ｈにより電源を投入すると、洗剤投入の初期設定は「洗剤Ａ」を投入するよう設定されているので、図４（ａ）に示すように、洗剤投入表示部２５ｂのランプｂ１だけが点灯した状態になっている。
【００３５】
この状態で、コース設定スイッチ２４ｆで、たとえば、「おまかせ」コースを設定し、または洗い時間設定スイッチ２４ｃ、すすぎ回数設定スイッチ２４ｄ、脱水時間設定スイッチ２４ｅにより洗い時間、すすぎ回数、脱水時間を個別に設定し、スタート／一時停止スイッチ２４ｇをオンして運転を開始すると、不揮発性メモリ２９に洗剤投入の設定内容、すなわち、「洗剤Ａ」を記憶する。
【００３６】
これと同時に、モータ４をオンして撹拌翼２を回転させ、撹拌翼２を所定時間回転させた後、オフしたときの惰性回転時に回転数検知手段２７により検知したパルス数を制御手段２２に入力し、洗濯兼脱水槽１に投入した洗濯物の量を検知する。
【００３７】
この検知した洗濯物の量に基づいて、制御手段２２は洗濯兼脱水槽１内に給水する水位を決定し、水位表示部２５ａに表示する。そして、給水弁１１を開いて給水を開始するとほぼ同時にモータ４を駆動して洗濯兼脱水槽１を回転させながら、エアポンプ１８をオンして洗剤タンク１６内の液体洗剤１５を、洗濯兼脱水槽１内に給水する水量に応じて液体洗剤１５を投入する。
【００３８】
ここでは、「洗剤Ａ」を投入する設定をしているので、水３０リットルに対して「洗剤Ａ」を１５ミリリットルの比率で投入する。このときの洗剤投入量はエアポンプ１８の駆動時間により制御する。また、このとき、洗濯兼脱水槽１を回転させているので、液体洗剤１５は一箇所に集中することなく分散して投入することができる。液体洗剤１５が投入され、所定の水位まで給水されると水位検知手段２６により検知し、給水を止めて撹拌翼２による撹拌を行い、衣類の汚れを除去する行程へと進み、つづいてすすぎ行程、脱水行程を行う。
【００３９】
次回運転時には、電源入スイッチ２４ｈにより電源を投入すると、不揮発性メモリ２９に「洗剤Ａ」を記憶しているので、洗剤投入表示部２５ｂのランプｂ１だけが点灯した状態になっており、「洗剤Ａ」で洗濯することかできる。
【００４０】
つぎに、液体洗剤１５として「洗剤Ａ」を使用し、汚れがひどい洗濯物を洗濯するときは、電源を投入すると洗剤投入表示部２５ｂには、前回の運転時に不揮発性メモリ２９に記憶された内容が表示されるが、洗剤投入設定スイッチ２４ｂを押して、「洗剤Ａ」を１．２５倍に増量して投入するように設定すると、図４（ｃ）に示すように、洗剤投入表示部２５ｂのランプｂ１、ｂ３が点灯した状態になる。この状態で、コース設定スイッチ２４ｆで所定のコースを設定し、スタート／一時停止スイッチ２４ｇをオンして運転を開始すると、不揮発性メモリ２９に洗剤投入の設定内容、すなわち、「洗剤Ａ」を「多め」に投入する設定を記憶する。
【００４１】
そして、洗濯兼脱水槽１に投入した洗濯物の量を検知し、検知した洗濯物の量に基づいて、制御手段２２は洗濯兼脱水槽１内に給水する水位を決定し、水位表示部２５ａに表示する。そして、給水弁１１を開いて給水を開始するとほぼ同時にモータ４を駆動して洗濯兼脱水槽１を回転させながら、エアポンプ１８をオンして洗剤タンク１６内の液体洗剤１５を、洗濯兼脱水槽１内に給水する水量に応じた洗剤量に対して増量した量の液体洗剤１５を投入する。
【００４２】
ここでは、「洗剤Ａ」を「多め」に投入する設定をしているので、水３０リットルに対して「洗剤Ａ」を１５ミリリットルの比率で、かつ１．２５倍した洗剤量を投入する。液体洗剤１５が投入され、所定の水位まで給水されると水位検知手段２６により検知し、給水を止めて撹拌翼２による撹拌を行い、衣類の汚れを除去する行程へと進み、つづいてすすぎ行程、脱水行程を行う。
【００４３】
次回運転時には、電源入スイッチ２４ｈにより電源を投入すると、不揮発性メモリ２９には「洗剤Ａ」を「多め」に投入する設定を記憶しているので、洗剤投入表示部２５ｂのランプｂ１、ｂ３が点灯した状態になっており、「洗剤Ａ」を「多め」に投入して洗濯することかできる。
【００４４】
つぎに、液体洗剤１５として「洗剤Ｂ」を使用して洗濯するときは、液体洗剤１５として洗剤ケース１６内に「洗剤Ｂ」を入れ、洗濯兼脱水槽１内に洗濯物を投入し、電源入スイッチ２４ｈにより電源を投入すると、洗剤投入表示部２５ｂには、前回の運転時に不揮発性メモリ２９に記憶された内容が表示されるが、洗剤投入設定スイッチ２４ｂを押して、「洗剤Ｂ」を投入するように設定すると、図４（ｂ）に示すように、洗剤投入表示部２５ｂのランプｂ２のみが点灯した状態になる。この状態で、コース設定スイッチ２４ｆで所定のコースを設定し、スタート／一時停止スイッチ２４ｇをオンして運転を開始すると、不揮発性メモリ２９に洗剤投入の設定内容、すなわち、「洗剤Ｂ」を投入する設定を記憶する。
【００４５】
以下、同様にして、「洗剤Ｂ」を投入して洗濯することができ、次回運転時には、電源入スイッチ２４ｈにより電源を投入すると、不揮発性メモリ２９には「洗剤Ｂ」を投入する設定を記憶しているので、洗剤投入表示部２５ｂのランプｂ２のみが点灯した状態になっており、「洗剤Ｂ」に投入して洗濯することかできる。
【００４６】
つぎに、液体洗剤１５として「洗剤Ｂ」を使用し、汚れがひどい洗濯物を洗濯するときは、電源を投入すると洗剤投入表示部２５ｂには、前回の運転時に不揮発性メモリ２９に記憶された内容が表示されるが、洗剤投入設定スイッチ２４ｂを押して、「洗剤Ｂ」を１．２５倍に増量して投入するように設定すると、図４（ｄ）に示すように、洗剤投入表示部２５ｂのランプｂ２、ｂ３が点灯した状態になる。この状態で、コース設定スイッチ２４ｆで所定のコースを設定し、スタート／一時停止スイッチ２４ｇをオンして運転を開始すると、不揮発性メモリ２９に洗剤投入の設定内容、すなわち、「洗剤Ｂ」を「多め」に投入する設定を記憶する。
【００４７】
以下、同様にして、「洗剤Ｂ」を１．２５倍に増量して投入し、洗濯することができ、次回運転時には、電源入スイッチ２４ｈにより電源を投入すると、不揮発性メモリ２９には「洗剤Ｂ」を「多め」に投入する設定を記憶しているので、洗剤投入表示部２５ｂのランプｂ２、ｂ３が点灯した状態になっており、「洗剤Ｂ」を１．２５倍に増量して投入し、洗濯することかできる。
【００４８】
つぎに、液体洗剤１５を所定の洗剤量投入するためのエアポンプ１８の駆動時間について説明する。
【００４９】
一般に、液体洗剤１５は固有の粘度を有しており、温度対粘度の特性は温度が高いときは粘度が低く、温度が低いと粘度は高くなる性質がある。また、液体洗剤１５の種類によってこの特性は変わる。ここで、上述の「洗剤Ａ」の粘度は「洗剤Ｂ」の粘度より高いものとする。
【００５０】
本実施例のように、洗剤タンク１６とエアポンプ１８とを用いた洗剤自動投入装置では、液体洗剤１５の粘性が起因して、エアポンプ１８を所定時間駆動したときの洗剤投入量は、液体洗剤１５の粘度が低いと多くなり、粘度が高いと少なくなる。
【００５１】
したがって、「洗剤Ａ」を投入するときのエアポンプ１８の駆動時間と洗剤投入量との関係が図５の直線ａに示す特性であるとき、「洗剤Ｂ」を投入するときのエアポンプ１８の駆動時間と洗剤投入量との関係は、「洗剤Ｂ」の粘度は「洗剤Ａ」の粘度より低いので、直線ｂに示すようになる。ここで、図５の縦軸は水３０リットル当たりの洗剤投入量を示している。
【００５２】
「洗剤Ａ」を使用し所定の洗浄性能を得るためには、水３０リットル当たり洗剤を１５ミリリットルの比率で投入する必要があり、このときのエアポンプ１８の駆動時間はＴａとなる。また、「洗剤Ｂ」を使用し所定の洗浄性能を得るためには、水３０リットル当たり洗剤を２０ミリリットルの比率で投入する必要があり、このときのエアポンプ１８の駆動時間はＴｂとなる。
【００５３】
ここで、「洗剤Ａ」の粘度と「洗剤Ｂ」の粘度が同じであるとすると、「洗剤Ｂ」を投入するときのエアポンプ１８の駆動時間はＴｂ’となる。したがって、時間（Ｔｂ’−Ｔｂ）は、「洗剤Ｂ」の粘度が「洗剤Ａ」の粘度より低いことにより補正（短縮）される時間となる。
【００５４】
このように、エアポンプ１８の駆動時間は、液体洗剤１５の種類に応じて、洗剤が有する洗浄力が異なることによる洗剤投入量の差に伴う駆動時間を、洗剤が有する粘度の差に伴う駆動時間だけ補正することにより、液体洗剤１５の種類が変わっても、液体洗剤に応じた洗剤量を投入することができ、所定の洗浄性能を確保することができる。
【００５５】
このように本実施例によれば、洗剤タンク１６に液体洗剤１５を溜めておき、この洗剤タンク１６内の液体洗剤１５を、制御手段２２により制御するエアポンプ１８により洗濯兼脱水槽１内へ投入するよう構成し、制御手段２２は、液体洗剤１５の種類に応じて洗濯兼脱水槽１内へ投入する洗剤量を制御するよう構成したので、液体洗剤１５の種類によって、所定の洗浄性能を得るための洗剤量または液体洗剤の粘度が変わっても、液体洗剤１５に応じた洗剤量を投入することができ、所定の洗浄性能を確保することができる。
【００５６】
また、液体洗剤１５の種類に応じてエアポンプ１８の駆動時間を制御するよう構成したので、液体洗剤の種類によって、所定の洗浄性能を得るための洗剤量が変わったり、液体洗剤の粘度が変わっても、液体洗剤の種類に応じて洗剤を投入する時間を変えることで、所定の洗浄性能を確保するための洗剤量を投入することができ、所定の洗浄性能を確保することができる。
【００５７】
また、入力設定手段２４により入力した液体洗剤１５の種類に応じて、洗濯兼脱水槽１内へ投入する洗剤量を制御するよう構成したので、入力設定手段２４により、所定の洗浄性能を得るための洗剤量、または液体洗剤の粘度などが異なる液体洗剤の種類を入力することにより、液体洗剤１５の種類に応じて所定の洗浄性能を確保するための洗剤量を投入することができ、所定の洗浄性能を確保することができる。
【００５８】
また、同一液体洗剤で洗濯兼脱水槽１内へ投入する洗剤量を加減できるよう構成したので、洗濯物の汚れが多いときには液体洗剤を多く投入して汚れを落とすことができ、洗濯物の汚れが少ないときには液体洗剤１５を少なく投入して液体洗剤１５の無駄をなくすことができる。
【００５９】
また、入力設定手段２４の入力に基づいて、洗濯兼脱水槽１内へ投入する洗剤量を加減するよう構成したので、洗濯物の汚れが多いときには、入力設定手段２４からの入力により液体洗剤１５を多く投入して汚れを落とすことができ、洗濯物の汚れが少ないときには、入力設定手段２４からの入力により液体洗剤１５を少なく投入して液体洗剤１５の無駄をなくすことができる。
【００６０】
また、液体洗剤１５の種類、洗濯兼脱水槽１内へ投入する洗剤量の加減量の少なくともいずれか一方を表示するようにしたので、洗濯兼脱水槽１に投入する液体洗剤１５の種類、投入する洗剤量の多少などを視認することができ、使い勝手を向上することができる。
【００６１】
また、不揮発性メモリ２９に、入力設定手段２４により設定した液体洗剤１５の種類、洗濯兼脱水槽１内へ投入する洗剤量の加減量を記憶するようにしたので、入力設定手段２４により設定した液体洗剤１５の種類、洗濯兼脱水槽１内へ投入する洗剤量加減量などを不揮発性メモリ２９に記憶することにより、次回に洗濯するときは同じ設定で液体洗剤１５を投入することができ、使い勝手を向上することができる。
【００６２】
なお、本実施例では、洗剤投入設定スイッチ２４ｂにより液体洗剤１５の投入量を「多め」に設定し、増量できるようにしているが、必ずしも増量でなく、減量であってもよく、また、増量と減量の両方設定できるようにしてもよい。
【００６３】
【発明の効果】
以上のように本発明の請求項１に記載の発明によれば、洗剤タンクに液体洗剤を溜めておき、この洗剤タンク内の液体洗剤を、制御手段により制御するエアポンプにより洗濯兼脱水槽内へ投入するよう構成し、制御手段は、液体洗剤の種類に応じて洗濯兼脱水槽内へ投入する洗剤量を制御するよう構成したから、液体洗剤の種類によって、所定の洗浄性能を得るための洗剤量または液体洗剤の粘度をが変わっても、液体洗剤に応じた洗剤量を投入することができ、所定の洗浄性能を確保することができるとともに洗剤を無駄に使いすぎるのを防ぐことができる。
【図面の簡単な説明】
【図１】本発明の一実施例の洗濯機の断面図
【図２】同洗濯機のブロック回路図
【図３】同洗濯機の操作表示部の拡大正面図
【図４】（ａ）同洗濯機の「洗剤Ａ」投入を設定した状態の洗剤投入表示部の正面図
（ｂ）同洗濯機の「洗剤Ｂ」投入を設定した状態の洗剤投入表示部の正面図
（ｃ）同洗濯機の「洗剤Ａ」を「多め」に設定した状態の洗剤投入表示部の正面図
（ｄ）同洗濯機の「洗剤Ｂ」を「多め」に設定した状態の洗剤投入表示部の正面図
（ｅ）同洗濯機の洗剤自動投入を行わないよう設定した状態の洗剤投入表示部の正面図
【図５】同洗濯機のエアポンプ駆動時間と洗剤投入量の関係図
【図６】従来の洗濯機の断面図
【符号の説明】
１  洗濯兼脱水層
１５  液体洗剤
１６  洗剤タンク
１８  エアポンプ（ポンプ）
２２  制御手段
【図１】
2004313297.tif 000003
【図２】
2004313297.tif 000004
【図３】
2004313297.tif 000005
【図４】
2004313297.tif 000006
【図５】
2004313297.tif 000007
【図６】
2004313297.tif 000008